(57)【要約】【課題】撮像装置に記憶された画像を画像通信装置を介して簡便かつ確実に画像記憶装置に蓄積すること。【解決手段】撮像部１８及び外部装置と通信するＩ／Ｆ部２０を備えるデジタルカメラ１ａ、１ｂ、１ｃであって、ネットワークに接続された撮像画像を記憶するサーバ２ａ、２ｂ、２ｃのネットワーク上の所在位置を示す情報を含む認証情報を記憶するフラッシュメモリ１５と、撮像部１８で撮像した画像に、認証情報を付加するＣＰＵ１２と、撮像画像に付加された認証情報に従って該当するサーバに撮像画像を送信する端末３とインタフェースを介して接続した場合、端末３に、ＣＰＵ１２で認証情報を付加した撮像画像を送信する通信部１６と、を備えたことを特徴とする。【選択図】図４
2009284359.tif 000002
【特許請求の範囲】
【請求項１】
撮像手段及び外部装置と通信するインタフェースを備える撮像装置であって、
ネットワークに接続された撮像画像を記憶する画像記憶装置の前記ネットワーク上の所在位置を示す情報を含む認証情報を記憶する記憶手段と、
前記撮像手段で撮像した画像に、前記認証情報を付加する付加手段と、
撮像画像に付加された認証情報に従って該当する画像記憶装置に前記撮像画像を送信する画像通信装置と前記インタフェースを介して接続した場合、前記画像通信装置に、前記付加手段で前記認証情報を付加した撮像画像を送信する送信手段と、
を備えたことを特徴とする撮像装置。
【請求項２】
前記インタフェースを介して前記画像記憶装置と接続した場合、当該画像記憶装置から前記認証情報を受信する受信手段を更に備え、
前記記憶手段は、前記受信手段で受信した前記認証情報を記憶することを特徴とする請求項１に記載の撮像装置。
【請求項３】
ネットワーク上の少なくとも１つの画像記憶装置と通信可能な画像通信装置であって、
撮像装置と通信するためのインタフェースと、
前記インタフェースを介して前記撮像装置と通信可能になった場合、前記撮像装置から撮像画像を取得する取得手段と、
取得した撮像画像に付加された認証情報を解析し、当該認証情報を与えた画像記憶装置を特定する解析手段と、
前記解析手段の解析により特定された画像記憶装置に対し前記認証情報を用いて認証処理を実行し、認証が成功した場合に前記取得手段で取得した撮像画像を前記特定された画像記憶装置に送信する送信手段と、
を備えたことを特徴とする画像通信装置。
【請求項４】
前記取得手段で取得した撮像画像から、認証情報を削除する削除手段を更に備え、
前記送信手段は、前記削除手段による削除処理後の撮像画像を前記特定された画像記憶装置に送信することを特徴とする請求項３に記載の画像通信装置。
【請求項５】
前記解析手段は、前記認証情報から、撮像画像の格納先を示すパス情報を更に特定し、
前記送信手段は、前記特定された画像記憶装置の前記パス情報で特定される格納先に送信することを特徴とする請求項３又は４に記載の画像通信装置。
【請求項６】
撮像装置と、ネットワークに接続された少なくとも１つの画像通信装置と、前記ネットワークに接続された少なくとも１つの画像記憶装置とで構成される画像処理システムであって、
前記画像記憶装置のそれぞれは、
前記画像通信装置から送信された認証情報に従って認証処理を行い、認証が成功した場合、前記画像通信装置から送信された画像を受信し、受信した画像を蓄積する蓄積手段を備え、
前記撮像装置は、
前記画像記憶装置の前記ネットワーク上の所在位置を示す情報を含む認証情報を記憶する記憶手段と、
撮像した画像に前記記憶手段で記憶された認証情報を付加し、画像記憶用メモリに格納する付加手段と、
インタフェースを介して前記画像通信装置に接続された場合、前記画像記憶用メモリに格納された撮像画像を前記画像通信装置に送信する送信手段と、を備え、
前記画像通信装置のそれぞれは、
前記インタフェースを介して前記撮像装置と接続された場合、前記撮像装置の前記画像記憶用メモリに格納された撮像画像を取得する取得手段と、
前記取得手段で取得した撮像画像に付加された認証情報を解析し、当該認証情報を与えた画像記憶装置を特定する解析手段と、
前記解析手段の解析により特定された画像記憶装置に対し、前記認証情報に従って認証処理を行い、当該認証が成功した場合、前記取得手段で取得した撮像画像を前記特定された画像記憶装置に送信する送信手段と、
を備えたことを特徴とする画像処理システム。
【請求項７】
前記画像記憶装置は、
前記インタフェースを介して前記撮像装置と接続された場合、当該画像記憶装置を特定する情報を含む認証情報を接続中の撮像装置に記憶させるため、前記認証情報を前記撮像装置に送信する送信手段を更に備え、
前記撮像装置は、前記画像記憶装置から送信された前記認証情報を受信する受信手段を更に備えたことを特徴とする請求項６に記載の画像処理システム。
【請求項８】
撮像手段及び外部装置と通信するインタフェースを備える撮像装置であって、
ネットワークに接続された撮像画像を記憶する画像記憶装置の前記ネットワーク上の所在位置を示す情報を含む認証情報を記憶する記憶手段と、
前記認証情報に従って該当する画像記憶装置に前記撮像画像を送信する画像通信装置と前記インタフェースを介して接続した場合、前記画像通信装置に前記認証情報を送信する送信手段と、
前記画像通信装置で前記画像記憶装置への認証処理が成功した場合、前記記憶手段に記憶された認証情報を削除して、前記画像通信装置に前記撮像画像を送信する画像送信手段と、
を備えたことを特徴とする撮像装置。
【請求項９】
前記インタフェースを介して前記画像記憶装置と接続した場合、当該画像記憶装置から前記認証情報を受信する受信手段を更に備え、
前記記憶手段は、前記受信手段で受信した前記認証情報を記憶することを特徴とする請求項８に記載の撮像装置。
【請求項１０】
ネットワーク上の少なくとも１つの画像記憶装置と通信可能な画像通信装置であって、
撮像装置と通信するためのインタフェースと、
前記インタフェースを介して撮像装置と通信可能になった場合、前記撮像装置からネットワークに接続された撮像画像を記憶する画像記憶装置の前記ネットワーク上の所在位置を示す情報を含む認証情報を取得する取得手段と、
取得した認証情報を解析して画像記憶装置を特定する解析手段と、
前記解析手段の解析により特定された画像記憶装置に対し前記認証情報を用いて認証処理を実行し、認証が成功した場合に前記撮像装置から撮像画像を取得する画像取得手段と、
前記画像取得手段で取得した撮像画像を前記特定された画像記憶装置に送信する送信手段と、
を備えたことを特徴とする画像通信装置。
【請求項１１】
前記解析手段は、前記認証情報から、撮像画像の格納先を示すパス情報を特定し、
前記送信手段は、前記特定された画像記憶装置の前記パス情報で特定される格納先に撮像画像を送信することを特徴とする請求項１０に記載の画像通信装置。
【請求項１２】
撮像装置と、ネットワークに接続された少なくとも１つの画像通信装置と、前記ネットワークに接続された少なくとも１つの画像記憶装置とで構成される画像処理システムであって、
前記画像記憶装置のそれぞれは、
前記画像通信装置から送信された認証情報に従って認証処理を行い、認証が成功した場合、前記画像通信装置から送信された画像を受信し、受信した画像を蓄積する蓄積手段を備え、
前記撮像装置は、
前記画像記憶装置の前記ネットワーク上の所在位置を示す情報を含む認証情報を記憶する記憶手段と、
前記認証情報に従って該当する画像記憶装置に撮像画像を送信する画像通信装置とインタフェースを介して接続した場合、前記画像通信装置に前記認証情報を送信する送信手段と、
前記画像通信装置で前記画像記憶装置への認証処理が成功した場合に、前記記憶手段に記憶された認証情報を削除して、前記画像通信装置に前記撮像画像を送信する画像送信手段と、を備え、
前記画像通信装置のそれぞれは、
前記インタフェースを介して前記撮像装置と接続された場合、前記撮像装置の画像記憶用メモリに格納された撮像画像を取得する取得手段と、
前記取得手段で認証情報を解析して画像記憶装置を特定する解析手段と、
前記解析手段の解析により特定された画像記憶装置に対し、前記認証情報に従って認証処理を実行し、当該認証処理が成功した場合に、前記記憶手段に記憶された認証情報を削除して、前記取得手段で取得した撮像画像を前記特定された画像記憶装置に送信する画像送信手段と、
を備えたことを特徴とする画像処理システム。
【請求項１３】
前記画像記憶装置は、
前記インタフェースを介して前記撮像装置と接続された場合、当該画像記憶装置を特定する情報を含む認証情報を接続中の撮像装置に記憶させるため、前記認証情報を前記撮像装置に送信する送信手段を更に備え、
前記撮像装置は、前記画像記憶装置から送信された前記認証情報を受信する受信手段を更に備えたことを特徴とする請求項１２に記載の画像処理システム。
【請求項１４】
撮像手段及び外部装置と通信するインタフェースを備える撮像装置の制御方法であって、
ネットワークに接続された撮像画像を記憶する画像記憶装置の前記ネットワーク上の所在位置を示す情報を含む認証情報を記憶する記憶手段に記憶された認証情報を、前記撮像手段で撮像した画像に付加する付加工程と、
撮像画像に付加された認証情報に従って該当する画像記憶装置に前記撮像画像を送信する画像通信装置と前記インタフェースを介して接続した場合、前記画像通信装置に、前記付加工程で前記認証情報を付加した撮像画像を送信する送信工程と、
を有することを特徴とする撮像装置の制御方法。
【請求項１５】
ネットワーク上の少なくとも１つの画像記憶装置と通信可能な画像通信装置の制御方法であって、
撮像装置と通信するためのインタフェースを介して撮像装置と通信可能になった場合、前記撮像装置から撮像画像を取得する取得工程と、
取得した撮像画像に付加された認証情報を解析し、当該認証情報を与えた画像記憶装置を特定する解析工程と、
前記解析工程の解析により特定された画像記憶装置に対し前記認証情報を用いて認証処理を実行し、認証が成功した場合に前記取得工程で取得した撮像画像を前記特定された画像記憶装置に送信する送信工程と、
を有することを特徴とする画像通信装置の制御方法。
【請求項１６】
撮像手段及び外部装置と通信するインタフェースを備える撮像装置の制御方法であって、
ネットワークに接続された撮像画像を記憶する画像記憶装置の前記ネットワーク上の所在位置を示す情報を含む認証情報を記憶する記憶手段に記憶された認証情報に従って該当する画像記憶装置に前記撮像画像を送信する画像通信装置と前記インタフェースを介して接続した場合、前記画像通信装置に前記認証情報を送信する送信工程と、
前記画像通信装置で前記画像記憶装置への認証処理が成功した場合に、前記記憶手段に記憶された認証情報を削除して、前記画像通信装置に前記撮像画像を送信する画像送信工程と、
を有することを特徴とする撮像装置の制御方法。
【請求項１７】
ネットワーク上の少なくとも１つの画像記憶装置と通信可能な画像通信装置の制御方法であって、
撮像装置と通信するためのインタフェースを介して撮像装置と通信可能になった場合、前記撮像装置からネットワークに接続された撮像画像を記憶する画像記憶装置の前記ネットワーク上の所在位置を示す情報を含む認証情報を取得する取得工程と、
取得した認証情報を解析して画像記憶装置を特定する解析工程と、
前記解析工程の解析により特定された画像記憶装置に対し前記認証情報を用いて認証処理を実行し、認証が成功した場合に前記撮像装置から撮像画像を取得する画像取得工程と、
前記画像取得工程で取得した撮像画像を前記特定された画像記憶装置に送信する送信工程と、
を有することを特徴とする画像通信装置の制御方法。
【請求項１８】
コンピュータが読込み実行することで、前記コンピュータを、請求項１、２、８、９のいずれか１項に記載の撮像装置又は請求項３、４、５、１０、１１のいずれか１項に記載の画像通信装置として機能させることを特徴とするコンピュータプログラム。
【請求項１９】
請求項１８に記載のコンピュータプログラムを格納したことを特徴とするコンピュータ可読記憶媒体。
【発明の詳細な説明】
【技術分野】
【０００１】
本発明は、撮像装置に格納された画像を画像通信装置を介して画像記憶装置に送信する画像処理技術に関する。
【背景技術】
【０００２】
撮像装置で撮影された画像をコンピュータ等の画像通信装置を介してサーバ等の画像記憶装置に記憶する技術として、種々の技術が提案されている。例えば、特許文献１では、ステーションと呼ばれる装置にデジタルカメラと画像蓄積装置を接続すると、デジタルカメラと画像蓄積装置との間で通信を開始してデジタルカメラ内の撮像画像を画像蓄積装置に自動的に蓄積する技術が提案されている。
【特許文献１】特開２００４−２６０８５０号公報
【発明の開示】
【発明が解決しようとする課題】
【０００３】
しかしながら、従来の技術では、ステーションとデジタルカメラ、及びステーションと画像蓄積装置を１３９４等のケーブルで接続する必要があるため、ＬＡＮ等のネットワークによって離れた場所へ画像を蓄積することが困難である。
【０００４】
そこで、本発明の目的は、撮像装置に記憶された画像を画像通信装置を介して簡便かつ確実に画像記憶装置に蓄積することにある。
【課題を解決するための手段】
【０００５】
本発明によれば、撮像手段及び外部装置と通信するインタフェースを備える撮像装置であって、ネットワークに接続された撮像画像を記憶する画像記憶装置の前記ネットワーク上の所在位置を示す情報を含む認証情報を記憶する記憶手段と、前記撮像手段で撮像した画像に、前記認証情報を付加する付加手段と、撮像画像に付加された認証情報に従って該当する画像記憶装置に前記撮像画像を送信する画像通信装置と前記インタフェースを介して接続した場合、前記画像通信装置に、前記付加手段で前記認証情報を付加した撮像画像を送信する送信手段と、を備えたことを特徴とする撮像装置が提供される。
【０００６】
また、本発明によれば、ネットワーク上の少なくとも１つの画像記憶装置と通信可能な画像通信装置であって、撮像装置と通信するためのインタフェースと、前記インタフェースを介して前記撮像装置と通信可能になった場合、前記撮像装置から撮像画像を取得する取得手段と、取得した撮像画像に付加された認証情報を解析し、当該認証情報を与えた画像記憶装置を特定する解析手段と、前記解析手段の解析により特定された画像記憶装置に対し前記認証情報を用いて認証処理を実行し、認証が成功した場合に前記取得手段で取得した撮像画像を前記特定された画像記憶装置に送信する送信手段と、を備えたことを特徴とする画像通信装置が提供される。
【０００７】
また、本発明によれば、撮像装置と、ネットワークに接続された少なくとも１つの画像通信装置と、前記ネットワークに接続された少なくとも１つの画像記憶装置とで構成される画像処理システムであって、前記画像記憶装置のそれぞれは、前記画像通信装置から送信された認証情報に従って認証処理を行い、認証が成功した場合、前記画像通信装置から送信された画像を受信し、受信した画像を蓄積する蓄積手段を備え、前記撮像装置は、前記画像記憶装置の前記ネットワーク上の所在位置を示す情報を含む認証情報を記憶する記憶手段と、撮像した画像に前記記憶手段で記憶された認証情報を付加し、画像記憶用メモリに格納する付加手段と、インタフェースを介して前記画像通信装置に接続された場合、前記画像記憶用メモリに格納された撮像画像を前記画像通信装置に送信する送信手段と、を備え、前記画像通信装置のそれぞれは、前記インタフェースを介して前記撮像装置と接続された場合、前記撮像装置の前記画像記憶用メモリに格納された撮像画像を取得する取得手段と、前記取得手段で取得した撮像画像に付加された認証情報を解析し、当該認証情報を与えた画像記憶装置を特定する解析手段と、前記解析手段の解析により特定された画像記憶装置に対し、前記認証情報に従って認証処理を行い、当該認証が成功した場合、前記取得手段で取得した撮像画像を前記特定された画像記憶装置に送信する送信手段と、を備えたことを特徴とする画像処理システムが提供される。
【０００８】
また、本発明によれば、撮像手段及び外部装置と通信するインタフェースを備える撮像装置であって、ネットワークに接続された撮像画像を記憶する画像記憶装置の前記ネットワーク上の所在位置を示す情報を含む認証情報を記憶する記憶手段と、前記認証情報に従って該当する画像記憶装置に前記撮像画像を送信する画像通信装置と前記インタフェースを介して接続した場合、前記画像通信装置に前記認証情報を送信する送信手段と、前記画像通信装置で前記画像記憶装置への認証処理が成功した場合、前記記憶手段に記憶された認証情報を削除して、前記画像通信装置に前記撮像画像を送信する画像送信手段と、を備えたことを特徴とする撮像装置が提供される。
【０００９】
また、本発明によれば、撮像手段及び外部装置と通信するインタフェースを備える撮像装置であって、ネットワークに接続された撮像画像を記憶する画像記憶装置の前記ネットワーク上の所在位置を示す情報を含む認証情報を記憶する記憶手段と、前記認証情報に従って該当する画像記憶装置に前記撮像画像を送信する画像通信装置と前記インタフェースを介して接続した場合、前記画像通信装置に前記認証情報を送信する送信手段と、前記画像通信装置で前記画像記憶装置への認証処理が成功した場合、前記記憶手段に記憶された認証情報を削除して、前記画像通信装置に前記撮像画像を送信する画像送信手段と、を備えたことを特徴とする撮像装置が提供される。
【００１０】
また、本発明によれば、ネットワーク上の少なくとも１つの画像記憶装置と通信可能な画像通信装置であって、撮像装置と通信するためのインタフェースと、前記インタフェースを介して撮像装置と通信可能になった場合、前記撮像装置からネットワークに接続された撮像画像を記憶する画像記憶装置の前記ネットワーク上の所在位置を示す情報を含む認証情報を取得する取得手段と、取得した認証情報を解析して画像記憶装置を特定する解析手段と、前記解析手段の解析により特定された画像記憶装置に対し前記認証情報を用いて認証処理を実行し、認証が成功した場合に前記撮像装置から撮像画像を取得する画像取得手段と、前記画像取得手段で取得した撮像画像を前記特定された画像記憶装置に送信する送信手段と、を備えたことを特徴とする画像通信装置が提供される。
【００１１】
また、本発明によれば、撮像装置と、ネットワークに接続された少なくとも１つの画像通信装置と、前記ネットワークに接続された少なくとも１つの画像記憶装置とで構成される画像処理システムであって、前記画像記憶装置のそれぞれは、前記画像通信装置から送信された認証情報に従って認証処理を行い、認証が成功した場合、前記画像通信装置から送信された画像を受信し、受信した画像を蓄積する蓄積手段を備え、前記撮像装置は、前記画像記憶装置の前記ネットワーク上の所在位置を示す情報を含む認証情報を記憶する記憶手段と、前記認証情報に従って該当する画像記憶装置に撮像画像を送信する画像通信装置とインタフェースを介して接続した場合、前記画像通信装置に前記認証情報を送信する送信手段と、前記画像通信装置で前記画像記憶装置への認証処理が成功した場合に、前記記憶手段に記憶された認証情報を削除して、前記画像通信装置に前記撮像画像を送信する画像送信手段と、を備え、前記画像通信装置のそれぞれは、前記インタフェースを介して前記撮像装置と接続された場合、前記撮像装置の画像記憶用メモリに格納された撮像画像を取得する取得手段と、前記取得手段で認証情報を解析して画像記憶装置を特定する解析手段と、前記解析手段の解析により特定された画像記憶装置に対し、前記認証情報に従って認証処理を実行し、当該認証処理が成功した場合に、前記記憶手段に記憶された認証情報を削除して、前記取得手段で取得した撮像画像を前記特定された画像記憶装置に送信する画像送信手段と、を備えたことを特徴とする画像処理システムが提供される。
【００１２】
また、本発明によれば、撮像手段及び外部装置と通信するインタフェースを備える撮像装置の制御方法であって、ネットワークに接続された撮像画像を記憶する画像記憶装置の前記ネットワーク上の所在位置を示す情報を含む認証情報を記憶する記憶手段に記憶された認証情報を、前記撮像手段で撮像した画像に付加する付加工程と、撮像画像に付加された認証情報に従って該当する画像記憶装置に前記撮像画像を送信する画像通信装置と前記インタフェースを介して接続した場合、前記画像通信装置に、前記付加工程で前記認証情報を付加した撮像画像を送信する送信工程と、を有することを特徴とする撮像装置の制御方法が提供される。
【００１３】
また、本発明によれば、ネットワーク上の少なくとも１つの画像記憶装置と通信可能な画像通信装置の制御方法であって、撮像装置と通信するためのインタフェースを介して撮像装置と通信可能になった場合、前記撮像装置から撮像画像を取得する取得工程と、取得した撮像画像に付加された認証情報を解析し、当該認証情報を与えた画像記憶装置を特定する解析工程と、前記解析工程の解析により特定された画像記憶装置に対し前記認証情報を用いて認証処理を実行し、認証が成功した場合に前記取得工程で取得した撮像画像を前記特定された画像記憶装置に送信する送信工程と、を有することを特徴とする画像通信装置の制御方法が提供される。
【００１４】
また、本発明によれば、撮像手段及び外部装置と通信するインタフェースを備える撮像装置の制御方法であって、ネットワークに接続された撮像画像を記憶する画像記憶装置の前記ネットワーク上の所在位置を示す情報を含む認証情報を記憶する記憶手段に記憶された認証情報に従って該当する画像記憶装置に前記撮像画像を送信する画像通信装置と前記インタフェースを介して接続した場合、前記画像通信装置に前記認証情報を送信する送信工程と、前記画像通信装置で前記画像記憶装置への認証処理が成功した場合に、前記記憶手段に記憶された認証情報を削除して、前記画像通信装置に前記撮像画像を送信する画像送信工程と、を有することを特徴とする撮像装置の制御方法が提供される。
【００１５】
また、本発明によれば、ネットワーク上の少なくとも１つの画像記憶装置と通信可能な画像通信装置の制御方法であって、撮像装置と通信するためのインタフェースを介して撮像装置と通信可能になった場合、前記撮像装置からネットワークに接続された撮像画像を記憶する画像記憶装置の前記ネットワーク上の所在位置を示す情報を含む認証情報を取得する取得工程と、取得した認証情報を解析して画像記憶装置を特定する解析工程と、前記解析工程の解析により特定された画像記憶装置に対し前記認証情報を用いて認証処理を実行し、認証が成功した場合に前記撮像装置から撮像画像を取得する画像取得工程と、前記画像取得工程で取得した撮像画像を前記特定された画像記憶装置に送信する送信工程と、を有することを特徴とする画像通信装置の制御方法が提供される。
【発明の効果】
【００１６】
本発明によれば、撮像装置に記憶された画像を画像通信装置を介して簡便かつ確実に画像記憶装置に蓄積することができる。
【発明を実施するための最良の形態】
【００１７】
以下、本発明の好適な実施形態について、添付図面を参照して詳細に説明する。
【００１８】
＜第１の実施形態＞
［画像処理システムの構成］
図１は、本発明の一実施形態に係る画像処理システムの構成を示す図である。１ａ、１ｂ、１ｃは撮像装置であるデジタルカメラ、２ａ、２ｂ、２ｃはネットワークに接続された撮像画像を記憶し、蓄積する画像記憶装置であるサーバ、３はサーバ２ａ、２ｂ、２ｃとの通信機能を有し、画像閲覧アプリケーションを搭載する端末である。端末３は、撮像画像に付加された認証情報に従って該当する画像記憶装置に撮像画像を送信する中継装置（画像通信装置）として機能する。なお、認証情報とは、サーバ２ａ、２ｂ、２ｃのネットワーク上の所在位置を示す情報を含み、端末３とサーバ２ａ、２ｂ、２ｃとの間で認証処理を行うための情報である。サーバ２ａ、２ｂ、２ｃは、インタフェースを介してデジタルカメラ１ａ、１ｂ、１ｃと接続された場合、認証情報を接続中のデジタルカメラ１ａ、１ｂ、１ｃに記憶させるため、認証情報をデジタルカメラ１ａ、１ｂ、１ｃに送信する送信手段を有する。
【００１９】
４は端末の映像信号を受信して表示するディスプレイ、５はサーバ２ａ、２ｂ、２ｃ及び端末３を収容する有線ＬＡＮネットワーク（ＩＥＥＥ８０２．３）である。デジタルカメラ１ａ、１ｂ、１ｃと端末３とはＵＳＢで接続され、端末３とディスプレイ４とはＨＤＭＩネットワークで接続され、端末３とサーバ２ａ、２ｂ、２ｃとは有線ＬＡＮで接続されている。
【００２０】
なお、サーバ２ａ、２ｂ、２ｃ及び端末３は、同じサブネットのネットワーク上に存在していても良く、また、異なるサブネットのネットワーク上に存在していてもよい。
【００２１】
図４は、デジタルカメラ１の機能的構成を示すブロック図である。１はデジタルカメラ本体、１２はデジタルカメラ１を制御するＣＰＵ、１３はデジタルカメラ１の制御プログラムを格納するＲＯＭ、１４は制御プログラムが動作する際に用いるワークエリアとしてのＲＡＭである。ＣＰＵ１２は、撮像部１８で撮像した画像に認証情報を付加する付加手段として機能する。
【００２２】
１５は認証情報を記憶する記憶手段として機能する画像記憶用メモリであるフラッシュメモリ、１６はデジタルカメラがサーバ２ａ、２ｂ、２ｃ及び端末３と通信を行うための通信部である。また、１７はデジタルカメラが被写体を表示したり、撮像画像を表示したりするための表示部である。
【００２３】
通信部１６は、Ｉ／Ｆ部２０を介してサーバ２ａ、２ｂ、２ｃと接続した場合、サーバ２ａ、２ｂ、２ｃから認証情報を受信する受信手段として機能する。また、通信部１６は、端末３とＩ／Ｆ部２０を介して接続した場合、端末３に、付加手段で認証情報を付加した撮像画像を送信する送信手段として機能する。
【００２４】
１８はデジタルカメラが画像を撮影するための撮像部、１９はユーザ操作を行うための入力部、２０は端末３等の外部装置と通信するインターフェースであるＩ／Ｆ部、１１はデータ及びアドレスバスである。
【００２５】
図５は、端末３の機能的構成を示すブロック図である。３は端末本体、３２は端末３を制御するＣＰＵ、３３は端末３の制御プログラムや画像閲覧アプリケーションプログラム及びデジタルカメラ１ａ、１ｂ、１ｃから受信した撮像画像を格納するハードディスクである。端末３は、ネットワーク上に存在する例えば、３台のサーバ２ａ、２ｂ、２ｃと通信可能な中継装置である。
【００２６】
ＣＰＵ３２は、取得した撮像画像に付加された認証情報を解析し、認証情報を与えたサーバ２ａ、２ｂ、２ｃを特定する解析手段として機能する。解析手段は、認証情報から、撮像画像の格納先を示すパス情報を更に特定する。また、ＣＰＵ３２は、取得手段で取得した撮像画像から、認証情報を削除する削除手段として機能する。
【００２７】
３４はプログラムが動作する際に用いるワークエリアとしてのＲＡＭ、３５は端末３がデジタルカメラ１ａ、１ｂ、１ｃと通信を行うための通信部、３６はサーバ２ａ、２ｂ、２ｃと通信を行うための通信部である。また、３７は端末３にディスプレイ４を接続するための表示Ｉ／Ｆ部、３８はキーボード等の入力デバイスとの入力Ｉ／Ｆ部である。３９はデジタルカメラ１ａ、１ｂ、１ｃと通信するためのインターフェースであるＩ／Ｆ部である。３１はデータ及びアドレスバスである。
【００２８】
通信部３５は、Ｉ／Ｆ部３９を介してデジタルカメラ１ａ、１ｂ、１ｃと通信可能になった場合、デジタルカメラ１ａ、１ｂ、１ｃから撮像画像を取得する取得手段として機能する。また、通信部３６は、解析手段の解析により特定されたサーバに対し認証情報を用いて認証処理を実行し、認証が成功した場合に取得手段で取得した撮像画像を特定されたサーバに送信する送信手段として機能する。ここで、送信される撮像画像は、削除手段による削除処理後のものであり、格納先は、特定された画像記憶装置のパス情報で特定される場所である。
【００２９】
［サーバ２ａの動作手順］
図２は、本発明の一実施形態に係る画像処理システムの構成を示す図である。ここでは、図２で示すように、デジタルカメラ１ａとサーバ２ａを接続して、サーバ２ａからデジタルカメラ１ａに認証情報を保存する手順について説明する。なお、認証処理とは、デジタルカメラ１ａとサーバ２ａが保持しているＩＤやパスワードを照合して合致するか否かを判定する処理を言う。後述のように、認証処理でデジタルカメラ１ａとサーバ２ａのＩＤやパスワードが合致した場合には接続が許可される。
【００３０】
図７は、サーバ２ａのＵＳＢ機器接続時の割り込み処理の動作手順を示す図である。ステップＳ１では、ＵＳＢ機器がサーバ２ａに接続されたか否かを判定する。ステップＳ１でＵＳＢ機器がサーバ２ａに接続されたと判定された場合には、ステップＳ２の認証情報保存処理に進む。一方、ステップＳ１でＵＳＢ機器がサーバ２ａに接続されていないと判定された場合には、認証情報保存処理を行わずに割り込み処理を終了する。
【００３１】
図８は、認証情報保存処理（ステップＳ２）の詳細な動作手順を示す図である。また、図１５は、サーバ２ａのユーザインタフェース画面を示す図である。
【００３２】
まず、サーバ２ａは、ステップＳ３で認証情報を生成し、ステップＳ４に進む。ステップＳ４では、サーバ２ａは、ステップＳ３で生成した認証情報をデジタルカメラ１に保存するか否かをユーザに問い合わせるユーザインタフェース画面を表示する（図１５参照）。ステップＳ５ではユーザによって、保存を指示するボタン（Ｙｅｓボタン）が押されたか、保存しないことを指示するボタン（Ｎｏボタン）が押されたかを判定する。
【００３３】
ステップＳ５で保存を指示するボタンが押されたと判定された場合にはステップＳ６に進み、サーバ２ａからデジタルカメラ１ａに認証情報を転送する。一方、ステップＳ５で保存を指示しないボタンが押されたと判定された場合には認証情報保存処理を終了する。なお、本実施形態では、デジタルカメラ１ａ、１ｂ、１ｃは、予めそれぞれのサーバ２ａ、２ｂ、２ｃに接続して、認証情報を記憶しているものとする。
【００３４】
［デジタルカメラ１ａの動作手順］
デジタルカメラ１ａ、１ｂ、１ｃは、ＲＯＭ１３に格納されたコンピュータプログラムによって動作する。このコンピュータプログラムには、デジタルカメラ１ａ、１ｂ、１ｃがサーバ２ａや端末３と接続された場合のプログラムと、サーバ２ａや端末３と接続されることなく、単独でカメラ機器として動作する場合のプログラムとがある。なお、ここでは、デジタルカメラ１ａとサーバ２ａとの処理について例示する。
【００３５】
図９は、デジタルカメラ１ａの割り込み処理の動作手順を示す図である。まず、デジタルカメラ１ａは、ステップＳ１０で自機にＵＳＢ機器が接続されたか否かを判定する。ステップＳ１０でＵＳＢ機器が接続されたと判定された場合には、ステップＳ１１でＵＳＢ機器接続時の処理を行って割り込み処理を終了する。一方、ステップＳ１０でＵＳＢ機器が接続されていないと判定された場合には、ステップＳ１２でカメラ機器の処理を行って割り込み処理を終了する。
【００３６】
図１０は、ＵＳＢ機器接続時の処理（ステップＳ１１）の動作手順を示す図である。まず、ステップＳ１７で端末３やサーバ２ａから画像送信要求を受信したか否かを判定し、ステップＳ１７で端末３やサーバ２ａから画像送信要求を受信したと判定された場合にはステップＳ１８に進む。ステップＳ１８で、デジタルカメラ１ａは端末３に撮像画像を送信する。
【００３７】
一方、ステップＳ１７で端末３やサーバ２ａから画像送信要求を受信したと判定された場合には、ステップＳ１９に進む。ステップＳ１９で、デジタルカメラ１ａはサーバ２ａから認証情報を受信したか否かを判定する。ステップＳ１９でサーバ２ａから認証情報を受信したと判定された場合には、ステップＳ２０に進み、認証情報、アドレス情報及びパス情報をフラッシュメモリ１５に保存して一連の処理を終了する。一方、ステップＳ１９でサーバ２ａから認証情報を受信していないと判定された場合には、フラッシュメモリ１５への保存を行わずに一連の処理を終了する。
【００３８】
図１１は、カメラ機器の処理（ステップＳ１２）の詳細な動作手順を示す図である。まず、ステップＳ１３でデジタルカメラ１ａのシャッタが押されたか否かを判定する。ステップＳ１３でシャッタが押されたと判定された場合にはステップＳ１５に進み、ステップＳ１３でシャッタが押されていないと判定された場合にはカメラ機器の一連の処理を終了する。
【００３９】
ステップＳ１５では、フラッシュメモリ１５に保存されている認証情報、アドレス情報及びパス情報を撮像画像のメタデータに付加する。撮像画像のデータ形式はＪＰＥＧである。
【００４０】
なお、この認証情報、アドレス情報及びパス情報は、シャッタが押された時点でフラッシュメモリ１５に保存されている情報である。デジタルカメラ１ａをサーバ２ａ、２ｂ、２ｃのうち、いずれかのサーバに接続した後からそのサーバとは異なるサーバに接続するまでの間に撮影された画像には、先に接続されたサーバの認証情報、アドレス情報及びパス情報を撮像画像に付加する。
【００４１】
その後、ステップＳ１６に進み、撮像画像をフラッシュメモリ１５に保存して、カメラ機器としての一連の処理を終了する。
【００４２】
ここで、ステップＳ１５でメタデータに各情報を付加した状態について説明する。図３は、認証情報２１、アドレス情報２２及びパス情報２３を付加した状態を示す図である。認証情報２１、アドレス情報２２及びパス情報２３は、撮像画像のメタ情報に付加される。認証情報２１は、サーバ２ａとの接続認証に用いられ、アドレス情報２２は、サーバ２ａにアクセスする際のアドレスとして用いられ、パス情報２３は、撮像画像を格納するために用いられる。
【００４３】
これらの情報を付加する際には、ＤＰＯＦ（Ｄｉｇｉｔａｌ  Ｐｒｉｎｔ  Ｏｒｄｅｒ  Ｆｏｒｍａｔ）と呼ばれるデジタルカメラ用の記録フォーマットに準じて行われる。ＤＰＯＦのフォーマットの中に各社独自の定義領域が定義されるため、その定義領域の中に情報を格納する。又は、ＥｘｉｆというＪＰＥＧフォーマットに従った形式で格納しても良い。その場合は、Ｅｘｉｆに含まれるＴＩＦＦ形式の中の独自領域に格納する。
【００４４】
［端末３の動作手順］
図１２は、端末３の割り込み処理の動作手順を示す図である。割り込み処理のプログラムは、端末３のハードディスク３３に格納されている。なお、ここでは、デジタルカメラ１ａ及びサーバ２ａの処理を例示する。
【００４５】
ステップＳ３１では、端末３のＵＳＢインタフェースにデジタルカメラ１ａが接続されたか否かを判定する。ステップＳ３１で端末３にデジタルカメラ１ａが接続されたと判定された場合には、ステップＳ３２の画像ハンドリング処理に進む。一方、ステップＳ３１でデジタルカメラ１ａが接続されていないと判定された場合には、ステップＳ３２の画像ハンドリング処理を行わずに割り込み処理を終了する。
【００４６】
図１３は、画像ハンドリング処理（ステップＳ３２）の詳細な動作手順を示す図である。
【００４７】
まず、端末３は、ステップＳ３３でデジタルカメラ１ａに画像送信要求を送信する。次に、ステップＳ３４で端末３がデジタルカメラ１ａから撮像画像を受信し、ステップＳ３５に進む。
【００４８】
ここで、図１４を用いて、端末３の認証処理（ステップＳ３５）の詳細について説明する。図１４は、端末３の認証処理（ステップＳ３５）の動作手順を示す図である。認証とは、サーバ２ａが端末３の接続を許可するか否かを判定する処理であり、次のように行われる。
【００４９】
まず、ステップＳ５０で端末３がサーバ２ａに撮像画像のデータから取得したアドレス情報２２を用いて接続要求を送信する。次に、ステップＳ５１でサーバ２ａから認証情報送信要求を受信したか否かを判定する。ステップＳ５１で認証情報送信要求を受信したと判定された場合にはステップＳ５２に進み、サーバ２ａに認証情報を送信して、一連の認証処理を終了する。一方、ステップＳ５１で認証情報送信要求を受信していないと判定された場合には、ステップＳ５０の処理に戻る。
【００５０】
このようにして、認証処理が終了すると、ステップＳ３６で端末３はサーバ２ａから接続許可通知を受信したか否かを判定する。ステップＳ３６で接続許可通知を受信したと判定された場合にはステップＳ３７に進む。一方、ステップＳ３６で接続許可通知を受信していないと判定された場合には、一連の画像ハンドリング処理を終了する。
【００５１】
ステップＳ３７では、端末３は、撮像画像のメタ情報に付加された認証情報とパス情報を削除し、ステップＳ３８で、端末３は、認証情報とパス情報が削除された撮像画像をサーバ２ａに送信する。この際、端末３は、撮像画像のメタ情報からパス情報を取得し、指定されたパスに撮像画像を送信する。
【００５２】
最後に、ステップＳ３９で端末３に格納されている全ての撮像画像がサーバ２ａに送信されたか否かを判定する。ステップＳ３９で全ての撮像画像がサーバ２ａに送信されたと判定された場合には、一連の画像ハンドリング処理を終了する。一方、ステップＳ３９で全ての撮像画像がサーバ２ａに送信されていないと判定された場合には、ステップＳ３７の処理に戻る。
【００５３】
以上述べた通り、本実施形態では、認識情報を付加した撮像画像を端末３に送信して、その認識情報を用いてサーバとの認証を行った。このため、この認識情報を用いて簡便かつ確実にサーバ２ａ、２ｂ、２ｃを特定して、特定されたサーバに確実に撮像画像を蓄積することができる。
【００５４】
なお、ステップＳ３４で受信した全ての撮像画像をサーバ２ａに送信することとしたが、ユーザによって指定された撮像画像だけをサーバ２ａに送信するようにしてもよい。図６は、デジタルカメラ１ａから端末３に撮像画像が格納された際のディスプレイ４の表示画面を示す図であり、図１６は、ディスプレイ４に表示した撮像画像をサーバ２ａに格納するか否かを問い合わせる表示画面を示す図である。
【００５５】
例えば、ステップＳ３４で端末３がデジタルカメラ１ａから撮像画像を受信すると、図６で示すように、受信した撮像画像を閲覧プログラムを起動することによりディスプレイ４に表示する。そして、ディスプレイ４に表示された各撮像画像をサーバ２ａに格納するか否かをユーザが選択する。すなわち、図１６で示すように、ユーザによって、格納を指示するボタン（Ｙｅｓボタン）が押されたか、格納しないことを指示するボタン（Ｎｏボタン）が押されたかを判定する。これにより、ユーザによって選択された撮像画像だけをサーバ２ａに送信することも可能である。
【００５６】
＜第２の実施形態＞
上述の第１の実施形態では、デジタルカメラは、認識情報を付加した撮像画像を端末３に送信して、端末３の認証処理終了後に撮像画像に付加された認証情報を削除した。一方、本実施形態では、デジタルカメラは認識情報自体を端末３に送信した後に、デジタルカメラ内の認証情報を削除し、端末３に撮像画像を送信する点で異なる。なお、第１の実施形態と同様の構成又は動作手順については、同一の符号を付し、説明を省略する。
【００５７】
図１７は、第２の実施形態に係るＵＳＢ機器接続時の処理（ステップＳ１１）の動作手順を示す図である。
【００５８】
まず、ステップＳ６０で端末３から認証情報送信要求を受信したか否かを判定し、ステップＳ１７で端末３から認証情報送信要求を受信したと判定された場合にはステップＳ６１に進む。ステップＳ６１で、デジタルカメラ１ａは端末３に認証情報を送信する。
【００５９】
一方、ステップＳ６０で端末３から認証情報送信要求を受信していないと判定された場合には、ステップＳ６６に進む。ステップＳ６６で、デジタルカメラ１ａはサーバ２ａから認証情報受信要求を受信したか否かを判定する。ステップＳ６６でサーバ２ａから認証情報受信要求を受信したと判定された場合には、ステップＳ６７に進み、認証情報、アドレス情報及びパス情報をサーバ２ａから受信し、これらをフラッシュメモリ１５に保存して一連の処理を終了する。一方、ステップＳ６６でサーバ２ａから認証情報受信要求を受信していないと判定された場合には、フラッシュメモリ１５への保存を行わずに一連の処理を終了する。
【００６０】
図１８は、第２の実施形態に係る画像ハンドリング処理（ステップＳ３２）の詳細な動作手順を示す図である。
【００６１】
まず、端末３は、ステップＳ７０でデジタルカメラ１ａに認証情報送信要求を送信する。次に、ステップＳ７１で端末３がデジタルカメラ１ａから認証情報を受信し、ステップＳ７２に進む。なお、ステップＳ７２の認証処理は、上述の第１の実施形態と同様である。
【００６２】
認証処理が終了すると、ステップＳ７３で端末３はサーバ２ａから接続許可通知を受信したか否かを判定する。ステップＳ７３で接続許可通知を受信したと判定された場合にはステップＳ７４に進む。一方、ステップＳ７３で接続許可通知を受信していないと判定された場合には、一連の画像ハンドリング処理を終了する。
【００６３】
ステップＳ７４では、端末３は、撮像画像の送信要求をデジタルカメラ１ａに送信し、ステップＳ７５でデジタルカメラ１ａから画像取得を行う。その後、ステップＳ７６では、受信した撮像画像をサーバ２ａに送信する。
【００６４】
最後に、ステップＳ７７で端末３に格納されている全ての撮像画像がサーバ２ａに送信されたか否かを判定する。ステップＳ７７で全ての撮像画像がサーバ２ａに送信されたと判定された場合には、一連の画像ハンドリング処理を終了する。一方、ステップＳ７７で全ての撮像画像がサーバ２ａに送信されていないと判定された場合には、ステップＳ７６の処理に戻る。
【００６５】
以上述べた通り、本実施形態によれば、デジタルカメラ１ａ、１ｂ、１ｃの撮像画像を端末３を介して簡便かつ確実にサーバ２ａ、２ｂ、２ｃに格納することができる。認証処理終了後にデジタルカメラ１ａ、１ｂ、１ｃに記憶された認証情報を削除できるため、指定されたサーバに一度だけ画像を格納可能となる。これにより、例えば、機密度の高い撮像画像の漏洩を抑制することができる。
【００６６】
＜その他の実施形態＞
なお、本実施形態は、複数の機器（例えば、ホストコンピュータ、インターフェース機器、リーダ、プリンタ等）から構成されるシステムに適用しても、１つの機器からなる装置（例えば、複写機、複合機、ファクシミリ装置等）に適用してもよい。
【００６７】
また、本発明は、前述した実施形態の機能を実現するソフトウェアのコンピュータプログラムのコードを記憶したコンピュータ可読記憶媒体（又は記録媒体）を、システム又は装置に供給してもよい。また、そのシステム又は装置のコンピュータ（又はＣＰＵやＭＰＵ）が記録媒体に格納されたプログラムコードを読込み実行することに適用してもよい。この場合、記録媒体から読込まれたプログラムコード自体が前述した実施形態の機能を実現することになり、そのプログラムコードを記録した記録媒体は本実施形態を構成することになる。また、そのプログラムコードの指示に基づき、コンピュータ上で稼働しているオペレーティングシステム（ＯＳ）等が実際の処理の一部又は全部を行い、その処理によって前述した実施形態の機能が実現される場合も含まれることは言うまでもない。
【００６８】
さらに、記録媒体から読込まれたプログラムコードが、コンピュータに挿入された機能拡張カードやコンピュータに接続された機能拡張ユニットに備わるメモリに書き込まれる。その後、そのプログラムコードの指示に基づき、その機能拡張カードや機能拡張ユニットに備わるＣＰＵ等が実際の処理の一部又は全部を行い、その処理によって前述した実施形態の機能が実現される場合も本発明に含まれることは言うまでもない。
【００６９】
また、本実施形態を上述のコンピュータ可読記憶媒体に適用する場合、その記録媒体には、先に説明したフローチャートや機能構成に対応するコンピュータプログラムのコードが格納されることになる。
【図面の簡単な説明】
【００７０】
【図１】本発明の一実施形態に係る画像処理システムの構成を示す図である。
【図２】本発明の一実施形態に係る画像処理システムの構成を示す図である。
【図３】認証情報２１、アドレス情報２２及びパス情報２３を付加した状態を示す図である。
【図４】デジタルカメラ１の機能的構成を示すブロック図である。
【図５】端末３の機能的構成を示すブロック図である。
【図６】デジタルカメラ１ａ、１ｂ、１ｃから端末３に撮像画像が格納された際のディスプレイ４の表示画面を示す図である。
【図７】ＵＳＢ機器接続時の割り込み処理の動作手順を示す図である。
【図８】認証情報保存処理（ステップＳ２）の詳細な動作手順を示す図である。
【図９】デジタルカメラ１の割り込み処理の動作手順を示す図である。
【図１０】ＵＳＢ機器接続時の処理（ステップＳ１１）の動作手順を示す図である。
【図１１】カメラ機器の処理（ステップＳ１２）の詳細な動作手順を示す図である。
【図１２】端末３の割り込み処理の動作手順を示す図である。
【図１３】画像ハンドリング処理（ステップＳ３２）の詳細な動作手順を示す図である。
【図１４】サーバ２ａと端末３との認証処理（ステップＳ３８）の動作手順を示す図である。
【図１５】デジタルカメラ１のユーザインタフェース画面を示す図である。
【図１６】ディスプレイ４に表示した撮像画像をサーバに格納するか否かを問い合わせる表示画面を示す図である。
【図１７】第２の実施形態に係るＵＳＢ機器接続時の処理（ステップＳ１１）の動作手順を示す図である。
【図１８】第２の実施形態に係る画像ハンドリング処理（ステップＳ３２）の詳細な動作手順を示す図である。
【図１】
2009284359.tif 000003
【図２】
2009284359.tif 000004
【図３】
2009284359.tif 000005
【図４】
2009284359.tif 000006
【図５】
2009284359.tif 000007
【図６】
2009284359.tif 000008
【図７】
2009284359.tif 000009
【図８】
2009284359.tif 000010
【図９】
2009284359.tif 000011
【図１０】
2009284359.tif 000012
【図１１】
2009284359.tif 000013
【図１２】
2009284359.tif 000014
【図１３】
2009284359.tif 000015
【図１４】
2009284359.tif 000016
【図１５】
2009284359.tif 000017
【図１６】
2009284359.tif 000018
【図１７】
2009284359.tif 000019
【図１８】
2009284359.tif 000020